(57)【要約】【課題】風力発電装置を移動や移設を伴う運用にも使用できるようにすることが課題である。【解決手段】本発明では、風力発電装置本体の底部とほぼ相似形であって風力発電装置本体の重量を支える強度を有する底板と、当該底板にボルトやナットで接続し当該底板中央部から遠ざかる径方向に長さを有する少なくとも３枚以上の板状の支え材か、同じく当該底板に補足板で接続した少なくとも３本以上の棒状の支え材か、同じく当該底板に接続した板状の支え材や棒状の支え材を混在して３以上の支え材とするか、のいずれか一つの方法による支え材との組合せによって、移動や移設を伴う運用にも風力発電装置を使用するための布置装置を成すことができる。【選択図】図４
2008286081.tif 000002
【特許請求の範囲】
【請求項１】
風力発電装置本体の底部とほぼ相似形であって風力発電装置本体の重量を支える強度を有する底板と、一端をボルトとナットで当該底板に接続し他端を当該底板の中央部から遠ざかる径方向に長さを有する少なくとも３枚以上の板状の支え材か、同じく一端を補足板で当該底板に接続し他端を当該底板から遠ざかる径方向に長さを有する少なくとも３本以上の棒状の支え材か、同じくボルトやナットで当該底板に接続した板状の支え材や補足板で当該底板に接続した棒状の支え材を混在して３以上とするか、のいずれか一つの方法による支え材との組合せによって、海底、湖底、川底を含む地形地物の表面に布を広げて置くような形態で風力発電装置本体を設置するための布置装置。
【請求項２】
底板と支え材とを有する請求項１の布置装置において、風力発電装置本体の底部と当該底板との間に水準装置を介在させ、設置した風力発電装置本体の水準を設定可能としたことを特徴とする布置装置。
【発明の詳細な説明】
【技術分野】
【０００１】
本発明は、風力発電装置の設置において、地物（天然と人工にかかわらず、地上にあるすべての物。水上の場合は、船上を、海・湖・川の場合は、海底・湖底・川底を含むものとする。）に地面や海底等の地物に沿ってあたかも布を被せるように地物の形状そのままに直接設置することを可能にする装置（以下、「布置装置」という）と、その構造に関する。
【背景技術】
【０００２】
風力発電においては、風の力で圧電素子を振動させて発電する装置や静電気を発生させて発電する装置もあるが、一般には、永久磁石や電磁石が作る磁界の中を巻線状にした導線を走らせて磁界を導線が切る際の誘導電流を利用する。通常、発電機は、風車によって回転する回転軸に接続する。したがって、発生する電力の大きさは、磁界を横切る導線の速度に比例するので、風車の回転軸に接続した発電機の場合には、その発電効率を高めようとすると、発電機の回転軸の速度を増すことが必要なので、風車の回転軸の回転速度が高い風車形式の選択や翼型の選択、あるいは増速装置の取り付けや発電機の極数の増加を模索してきた歴史がある。
【０００３】
中でも、水平軸風車に航空機の翼やプロペラと同じ揚力を発生して回転する揚力羽根を使用する水平軸風車は、高い周速比が得られて発電効率が良いので多くの風力発電で使用されている。しかしながら、発電部を回転軸に接続して設置するために風車の重量の半分近くを占めるナセルを空中高く設置するので、風車全体を支えるためのタワーの設置では、タワーの根元部を地中もしくは海底を深く掘って作成した基礎部にしっかりと固定して設置し、簡単に移動や移設を伴う運用には使用できなかった。
【０００４】
特許文献２は、回転軸から発電のための駆動力を引き出す多くの発電装置と異なり、翼端における周速を電磁的に直接取り出して発電する風力発電であって、シュラウドを介して設置することができるので安定性を向上した設置方法の採用が容易である。また、特許文献１は、翼端における周速を機械的に取り出して発電する風力発電であって、重量の半分近くを占めていた発電機を地上近くに設置できるので安定性が向上している。したがって、特許文献１や特許文献２の風力発電装置は、必ずしも地中もしくは海底を深く掘って基礎を設けて使用する必要がなく、移動や移設を伴う運用にも使用できる可能性がある。
【０００５】
特許文献３には、大きな自重を有する基礎部に併せ、地物の表面に埋めることなく設置できて暴風や地震時の外力からタワーの損壊を防護するための斜材と斜材反力板との組合せが示されている。特許文献４には、通常では埋めるだけの風車の基礎部を埋めることなく重量物で押さえて設置する方法が示されている。特許文献５では、軟弱な地盤に放射状や円形の平面をもつ脚部を浅く埋めて風車を支える要領が示されている。しかしながら、いずれの方法でも、風車の移動や移設にも対応できる方法とはいえず、また、基礎の一部を地物上に埋めずに設置するものがあっても、風車の移動や移設のための器具・機材の発明に容易に結びつくものではない。
【０００６】
非特許文献２は、カメラ用品の三脚やドーリーやフォトスタンドについてカタログである。カタログ中に記載されたドーリーやフォトスタンドは、脚の開脚角度は１８０°に固定されたタイプが多い。通常の三脚では、脚の開脚角度は９０°以下ではあるが、１８０°まで開脚可能なローアングルタイプもあり、かつ傾斜した地物の上においてもカメラを水平に保つための機能として、脚の伸縮手段及び雲台機構を有する等、機能としては参考になるが、風力発電装置の設置に適用する場合には、構造を大きく変える必要がある。
【０００７】
非特許文献１は、スイス連邦のエリコン社製のＫＤＡ３５ｍｍ高射機関砲（日本では「３５ｍｍ２連装高射機関砲」、通称「Ｌ−９０」）の布置を行う装置の写真資料である。このＫＤＡ３５ｍｍ高射機関砲には、１本の固定脚と２本の開閉可能脚の先端にそれぞれ伸縮可能な油圧シリンダーを有し、装置の中央部にある水銀を溜めた水準センサーの信号で地形地物の状態にかかわらずＫＤＡ３５ｍｍ高射機関砲の水準を自動的に設定することを可能にした布置装置が組み込まれ一体化してある。この布置装置は、ＫＤＡ３５ｍｍ高射機関砲本体を頻繁に移動や移設することの必要性が高いことと、道路でない野外の不整地を引き回す当該牽引型兵器の非常に底い重心の特性とから作成されている。よって、移動や移設が原則行われることがなく、かつ重心が非常に高い位置にあることの多い風力発電装置にかかわる当業者にとっては、風力発電装置へ布置装置を適用することは容易に発明できること、とはいえない。
【０００８】
【特許文献１】特願２００７−０８０５８９
【特許文献２】特願２００６−３４３７６５
【特許文献３】特開２００７−０９２４０６号公報
【特許文献４】特開２００６−３２２４００号公報
【特許文献５】特開２００５−３３７２４５号公報
【非特許文献１】”３５ｍｍ２連装高射機関砲Ｌ−９０”、［ｏｎｌｉｎｅ］、［平成１９年４月１４日検索］、インターネット＜ｈｔｔｐ：／／ｒｉｇｈｔｗｉｎｇ．ｓａｋｕｒａ．ｎｅ．ｊｐ／ｅｑｕｉｐｍｅｎｔ／ｊｇｓｄｆ／ａｉｒａｒｔｉｌｌｅｒｙ／３５ｍｍ−ｌ９０／ｌ９０．ｈｔｍｌ＞
【非特許文献２】日本写真映像用品工業会カタログ委員会、”写真・映像用品年鑑”、写真・映像用品総合カタログ、日本写真映像用品工業会、平成１９年３月発行、Ｎｏ．３７、ｐ．５８「４２４」、ｐ．７３「Ｌ１４６１−２」、ｐ．７６「Ｌ１８３９１」、ｐ．９８「デジミニ３段三脚ローアングル」、ｐ．１００「ＭＳ−８３Ｌ」、ｐ．２５８「ＪＡＮ／４９０６７５２  ２００８２７」、ｐ．２６７「ＪＡＮ／４９０６７５２  ２０１０７７」、ｐ．３２３「フル・ローポジション機構」、ｐ．３２５「ＵポッドデジタルＱＵ４００」、ｐ．４３４「Ｎｅｏ  Ｃａｒｍａｇｎｅ７４０」、ｐ．４３６「Ｎｅｏ  Ｃａｒｍａｇｎｅ５４５」、ｐ．４３７「Ｅｌ  Ｃａｒｍａｇｎｅ７４０」、ｐ．４４０「Ｍｏｕｎｔａｉｎ  Ｃｈａｓｅｒ３」、ｐ．４４０「Ｓｈｅｒｐａ４４３」、ｐ．４４１「ＵＬＴＲＡ  ＬＵＸＩＭ」、ｐ．４４１「ＵＬＴＲＡ  ＭＡＸＩＭ」、ｐ．４５０「ＤＰ−３Ｄ２」
【発明の開示】
【発明が解決しようとする課題】
【０００９】
地面や海底を掘なくても風力発電装置の設置を可能として、風力発電装置を移動や移設を伴う運用にも使用できるようにすることが課題である。
【課題を解決するための手段】
【００１０】
本発明では、風力発電装置本体の底部とほぼ相似形であって風力発電装置本体の重量を支える強度を有する底板と、一端をボルトとナットで当該底板に接続し他端を当該底板の中央部から遠ざかる径方向に長さを有する少なくとも３枚以上の板状の支え材か、同じく一端を補足板で当該底板に接続し他端を当該底板から遠ざかる径方向に長さを有する少なくとも３本以上の棒状の支え材か、同じくボルトやナットで当該底板に接続した板状の支え材や補足板で当該底板に接続した棒状の支え材を混在して３以上とするか、のいずれか一つの方法による支え材との組合せによって、海底、湖底、川底を含む地形地物の表面に布を広げて置くような形態で風力発電装置本体を設置するための布置装置を作成することによって、地面や海底を掘らなくても風力発電装置を設置でき、かつ移動や移設を伴う運用にも風力発電装置を使用することができる。
【発明の効果】
【００１１】
本発明の布置装置を用いて風力発電装置を設置すると、平坦な地面であればそのまま、多少の荒れ地や海底や湖底や川底であれば、大きな凸凹を簡単な工事で除去する程度で、風力発電装置の設置を行うことができる。これは、地中や海底等を深く掘って基礎を埋設し、基礎が完成したのを待って風力発電装置設置してきた従来工法とは異なり、工事所要が少ないことからも、工事の期間をほとんど要しないことからも大きな効果を有する。中でも、部品点数が少なく軽量で分解・搬送・再組立が容易である特許文献１の請求項２に記載された翼端部の周速を機械的に引き出し利用する風力発電装置と本発明の布置装置とを組み合わせて用いることによって、遊牧民のキャンプ地や軍隊の宿営地などでの給電において移動や移設を頻繁に伴う場合の運用であっても使用することができる。また、本発明の布置装置を用いると、例えば、平常時には都道府県庁の敷地内に商用電源とともに使用しつつ複数基設置しておいて、災害時には分解・搬送して被災地で組立て使用する等の柔軟な運用を可能にする。
【発明を実施するための最良の形態】
【００１２】
本発明の布置装置（２００）は、通常、２から６つの主要な部分から構成される。すなわち、風力発電装置を設置する場所が平坦で水準がとれている場合には、風力発電装置（１００）本体の底部とほぼ相似形で風力発電装置（１００）本体の重量を支える強度を有する底板（２３０）と、底板（２３０）に一端を接続し、他端を底板（２３０）の中央部から遠ざかる径方向に長さを有し、断面が長方形やΛ形や逆Ｔ字形やコの字形の板状の支え材（４１０）か、同じく径方向に長さを有した棒状の支え材（４２０）か、あるいはそれらの混在した支え材（（４１０）、（４２０））である。支え材（（４１０）、（４２０））は、底板（２３０）の周囲にほぼ均等の間隔をおいて配置するが、風力発電装置（１００）の安定を得るためには、板状の支え材（４１０）が少なくとも３枚か、棒状の支え材（４２０）が少なくとも３本か、あるいは板状の支え材（４１０）と棒状の支え材（４２０）を合わせて少なくとも３となる数量の支え材（（４１０）、（４２０））が必要である。また、支え材（（４１０）、（４２０））の強度を補助するために押さえ材（（３１０）、（３２０））を併せ用いることもある。さらに、設置場所が傾斜地である場合には、風力発電装置（１００）本体の底部と当該底板（２３０）との間に水準装置（（２２０）、（２４０））や必要に応じ天板（２１０）を介在させて、風力発電装置（１００）本体の水準を設定できるようにする。また、風力発電装置（１００）本体を設置した後の布置装置（２００）が風力で倒されたり地形地物上を滑走することを防止するために杭（４３３）で地形地物に固定することもある。
【００１３】
布置装置（２００）に用いる水準装置は、人手により一定の厚みを有するワッシャー（２４１）を底板（２３０）上に設置した後、自在ボール（２４２）を載せ、さらにワッシャー（２４１）を嵩上げして、シム（２４３）で微修正をして水準をとる水準装置（２４０）と、液圧ピストン（２２１）やウォームネジ（２２２）を手動ハンドル（２２３）で伸縮したり、液圧ピストン（２２１）やウォームネジ（２２２）をリモートコントロールができる操作卓（２２４）で操作して水準をとる水準装置（２２０）とがある。特に、液圧ピストン（２２１）やウォームネジ（２２２）と操作卓（２２４）とを有する水準装置（２２０）は、自動水準装置として使用することも可能である。
【００１４】
底板（２３０）と板状の支え材（４１０）との接続は、当該底板（２３０）と支え板（４１０）の一端とをボルトとナット（４３１）で固定して行う。底板（２３０）と棒状の支え材（４２０）との接続は、当該底板（２３０）にドーナツ形の波形板である補足板（２３１）を密着させることによって、棒状の支え材（４２０）の一端を底板（２３０）と補足板（２３１）とで挟むように固定して行う。
【００１５】
風力発電装置（１００）と布置装置（２００）との間の接続は、通常、ボルトとナット（４３１）を用いて固定するが、クランプ（４３２）のような器具を用いて固定しても良い。
【００１６】
本発明の布置装置（２００）は、簡単に分解して搬送が可能となる。したがって、同じく分解搬送が可能な特許文献１の請求項２の周速を機械的に取り出して利用する風力発電装置を用いる場合には、風力発電装置（１００）と布置装置（２００）ともに搬送が可能となって、移動や移設を伴う運用に風力発電装置を用いることが容易となる。
【実施例１】
【００１７】
図２並びに図６から図１２までの（Ａ）と（Ｃ）は、風力発電装置本体の底部とほぼ相似形であって風力発電装置本体の重量を支える強度を有する底板と、一端をボルトとナットで当該底板に接続し他端を当該底板の中央部から遠ざかる径方向に長さを有する少なくとも３枚以上の板状の支え材か、同じく一端を補足板で当該底板に接続し他端を当該底板から遠ざかる径方向に長さを有する少なくとも３本以上の棒状の支え材か、同じくボルトやナットで当該底板に接続した板状の支え材や補足板で当該底板に接続した棒状の支え材を混在して３以上とするか、のいずれか一つの方法による支え材との組合せによって、海底、湖底、川底を含む地形地物の表面に布を広げて置くような形態で風力発電装置本体を設置するための布置装置の実施例である。実施例で使用したのは、円環付の水平軸風車による風力発電装置であったが、他の形式、例えば特許文献２の水平軸風車の風力発電装置や垂直軸風車の風力発電装置でも実施可能である。
【実施例２】
【００１８】
図３、図４、図５並びに図６から図１２までの（Ｂ）と（Ｃ）は、底板と支え材とを有する実施例１の布置装置において、風力発電装置本体の底部と当該底板との間に水準装置を介在させ、設置した風力発電装置本体の水準を設定可能としたことを特徴とする布置装置の実施例である。実施例で使用したのは、円環付の水平軸風車による風力発電装置であったが、他の形式、例えば特許文献２の水平軸風車の風力発電装置や垂直軸風車の風力発電装置でも実施可能である。中でも図２１の風車は、風車が風上に回頭する際の左右方向の動きからくる応力が、ジャイロ歳差による９０°遅れの上下（俯仰）方向の応力として現れることを吸収できる俯仰調整装置を有するので、水平軸風車でありながら当該布置装置に与える応力負担が少ない。よって、当該布置装置と水平軸風車との組合せにおいて互いの構造的効果がもっとも良好に働く実施例である。
【図面の簡単な説明】
【００１９】
【図１】（Ａ）一例として使用する円環付水平軸風車の風力発電装置の正面図である。    （Ｂ）側面図である。    （Ｃ）平面図である。
【図２】（Ａ）一例として８枚の支え材を有する場合において、本発明の布置装置の底板上に風力発電装置を設置して平坦な場所に布置した際の正面からの一部断面図である。    （Ｂ）平面図である。
【図３】（Ａ）一例として８枚の支え材を有する場合において、水準装置を具備した本発明の布置装置上に風力発電装置を設置して平坦な場所に布置した際の正面からの一部断面図である。    （Ｂ）平面図である。
【図４】（Ａ）一例として８枚の支え材を有する場合において、水準装置を具備した本発明の布置装置上に風力発電装置を設置して傾斜のある場所に布置した際の正面からの一部断面図である。    （Ｂ）平面図である。
【図５】（Ａ）一例として３枚の支え材を有する場合において、水準装置を具備した本発明の布置装置上に風力発電装置を設置して傾斜のある場所に布置した際の正面からの一部断面図である。    （Ｂ）平面図である。
【図６】（Ａ）底板と板状の支え材と支え材の補強のための押さえ材とを有する本発明の布置装置を水平方向から見た一部断面図である。    （Ｂ）底板と板状の支え材と支え材の補強のための押さえ材と水準装置とを有する布置装置の水平方向から見た一部断面図である。    （Ｃ）底板と８枚の板状の支え材と支え材の補強のための押さえ材とを有する本発明の布置装置を垂直方向から見た平面図である。
【図７】（Ａ）底板と板状の支え材と支え材の補強のための押さえ材とを有する本発明の布置装置を水平方向から見た一部断面図である。    （Ｂ）底板と板状の支え材と支え材の補強のための押さえ材と水準装置とを有する布置装置の水平方向から見た一部断面図である。    （Ｃ）底板と３枚の板状の支え材と支え材の補強のための押さえ材とを有する本発明の布置装置を垂直方向から見た平面図である。
【図８】（Ａ）底板と板状の支え材とを有する本発明の布置装置を水平方向から見た一部断面図である。    （Ｂ）底板と板状の支え材と水準装置とを有する布置装置の水平方向から見た一部断面図である。    （Ｃ）底板と８枚の板状の支え材とを有する本発明の布置装置を垂直方向から見た平面図である。
【図９】（Ａ）底板と板状の支え材と支え材の補強のための押さえ材とを有する本発明の布置装置のうち、押さえ材を支え材の外周部に配置した場合の水平方向から見た一部断面図である。    （Ｂ）底板と板状の支え材と支え材の補強のための押さえ材と水準装置とを有する本発明の布置装置のうち、押さえ材を支え材の外周部に配置した場合の水平方向から見た一部断面図である。    （Ｃ）底板と８枚の板状の支え材と支え材の補強のための押さえ材とを有する本発明の布置装置のうち、押さえ材を支え材の外周部に配置した場合の垂直方向から見た平面図である。
【図１０】（Ａ）底板と棒状の支え材とを有する本発明の布置装置を水平方向から見た一部断面図である。    （Ｂ）底板と棒状の支え材と水準装置とを有する本発明の布置装置を水平方向から見た一部断面図である。    （Ｃ）底板と３２本の棒状の支え材を有する場合の本発明の布置装置を垂直方向から見た平面図である。    （Ｄ）底板に取り付ける補足板の平面図である。
【図１１】（Ａ）底板と棒状の支え材とを有する本発明の布置装置を水平方向から見た一部断面図である。    （Ｂ）底板と棒状の支え材と水準装置とを有する本発明の布置装置を水平方向から見た一部断面図である。    （Ｃ）底板と３本の棒状の支え材を有する場合の本発明の布置装置を垂直方向から見た平面図である。    （Ｄ）底板に取り付ける補足板の平面図である。
【図１２】（Ａ）底板と板状と棒状の支え材と支え材の補強のための押さえ材とを有する本発明の布置装置を水平方向から見た一部断面図である。    （Ｂ）底板と板状と棒状の支え材と支え材の補強のための押さえ材と水準装置とを有する本発明の布置装置を水平方向から見た一部断面図である。    （Ｃ）底板と板状の４枚の支え材と棒状の２８本の支え材と支え材の補強のための押さえ材とを有する場合の本発明の布置装置を垂直方向から見た平面図である。    （Ｄ）底板に取り付ける補足板の平面図である。
【図１３】（Ａ）風力発電装置の底部と本発明の布置装置との接合部分の側方から見た一部断面図である。    （Ｂ）風力発電装置の底部と本発明の布置装置とをボルトとナットで接続する場合の拡大図である。    （Ｃ）風力発電装置の底部と本発明の布置装置とをクランプで接続する場合の拡大図である。
【図１４】（Ａ）本発明の布置装置に用いる支え材は、風力発電装置に加えられる風圧に耐えて支えることのできる強度を有する必要があり、通常は、支え材の断面は長方形や円形であるが、必要に応じてΛ形や逆Ｔの字形やコの字形に補強する場合があり、その断面の一例である。    （Ｂ）支え材に板状の支え材と棒状の支え材とを混在して使用した場合の平面図の一例である。
【図１５】（Ａ）布置装置の底板の側面図である。    （Ｂ）底板の上にワッシャーと自在ボールとシムとを有する水準装置を設けた際の側面図である。    （Ｃ）底板の上に伸縮可能な液圧シリンダーやウォームネジを有する水準装置を設けた際の側面図である。
【図１６】（Ａ）液圧シリンダーやウォームネジを有する水準装置の側面図である。    （Ｂ）液圧シリンダーやウォームネジを３つ有して水準装置を構成した場合の平面図である。    （Ｃ）液圧シリンダーやウォームネジを４つ有して水準装置を構成した場合の平面図である。    （Ｄ）液圧シリンダーやウォームネジを８つ有して水準装置を構成した場合の平面図である。
【図１７】（Ａ）ワッシャーと自在ボールとシムとから水準装置を構成した際の側面図である。    （Ｂ）ワッシャーと自在ボールとシムとから水準装置を構成した際のワッシャーやシムの嵩上げする要領について拡大した側面図である。    （Ｃ）ワッシャーと自在ボールとシムとから水準装置を構成した際に、左右方向に傾斜した地形地物上に設置した場合の側面図である。    （Ｄ）ワッシャーと自在ボールとシムとから水準装置を構成した際の平面図である。
【図１８】（Ａ）液圧シリンダーやウォームネジを有し、液圧シリンダーやウォームネジの伸縮を手回しハンドルで行う際の水準装置の側面図である。    （Ｂ）液圧シリンダーを有し、液圧シリンダーの伸縮を手回しハンドルで行う際に、左右方向に傾斜した地形地物上に設置した場合の水準装置の側面図である。    （Ｃ）ウォームネジを有し、ウォームネジの伸縮を手回しハンドルで行う際に、左右方向に傾斜した地形地物上に設置した場合の水準装置の側面図である。    （Ｄ）液圧シリンダーやウォームネジを４つ有、液圧シリンダーやウォームネジの伸縮を手回しハンドルで行う際の水準装置の平面図である。
【図１９】（Ａ）液圧シリンダーやウォームネジを有し、液圧シリンダーやウォームネジの伸縮を操作卓の操作で行う際の水準装置の側面図である。    （Ｂ）液圧シリンダーを有し、液圧シリンダーの伸縮を手回しハンドルで行う際に、左右方向に傾斜した地形地物上に設置した場合の水準装置の側面図である。    （Ｃ）ウォームネジを有し、ウォームネジの伸縮を操作卓の操作で行う際に、左右方向に傾斜した地形地物上に設置した場合の水準装置の側面図である。    （Ｄ）液圧シリンダーやウォームネジを４つ有、液圧シリンダーやウォームネジの伸縮を操作卓の操作で行う際の水準装置の平面図である。
【図２０】（Ａ）円環付の水平軸風車と発電機からなる風力発電装置本体を主要部品に分解して並べた際の平面図である。    （Ｂ）円環付の水平軸風車と発電機からなる風力発電装置本体を主要部品に分解して並べた際の側面図である。    （Ｃ）本発明の布置装置を主要部品に分解して並べた際の平面図である。
【図２１】（Ａ）特許文献２の周速を電磁的に利用する風力発電装置を本発明の布置装置で平坦地に布置した場合の一例である。    （Ｂ）特許文献２の周速を電磁的に利用する風力発電装置を本発明の布置装置で傾斜地に布置した場合の一例である。
【符号の説明】
【００２０】
１００  風力発電装置
１１０  円環付の水平軸風車
１２０  尾羽
１３０  方向調整装置
１４０  俯仰調整装置
１９０  発電機
２００  布置装置
２１０  天板
２２０  水準装置（液圧シリンダーやウォームネジを伸縮して使用）
２２１  液圧シリンダー
２２２  ウォームネジ
２２３  手回しハンドル
２２４  操作卓
２３０  底板
２３１  補足板
２４０  水準装置（ワッシャーで嵩上げしシムで調整して使用）
２４１  ワッシャー
２４２  自在ボール
２４３  シム
３１０  押さえ材（周回型）
３２０  押さえ材（分割型）
４１０  支え材（板状）
４１１  支え材（板状で断面は長方形）
４１２  支え材（板状で断面がΛ形）
４１３  支え材（板状で断面が逆Ｔ字形）
４１４  支え材（板状で断面がコの字形）
４２０  支え材（棒状）
４３１  ボルトとナット
４３２  クランプ
４３３  杭
【図１】
2008286081.tif 000003
【図２】
2008286081.tif 000004
【図３】
2008286081.tif 000005
【図４】
2008286081.tif 000006
【図５】
2008286081.tif 000007
【図６】
2008286081.tif 000008
【図７】
2008286081.tif 000009
【図８】
2008286081.tif 000010
【図９】
2008286081.tif 000011
【図１０】
2008286081.tif 000012
【図１１】
2008286081.tif 000013
【図１２】
2008286081.tif 000014
【図１３】
2008286081.tif 000015
【図１４】
2008286081.tif 000016
【図１５】
2008286081.tif 000017
【図１６】
2008286081.tif 000018
【図１７】
2008286081.tif 000019
【図１８】
2008286081.tif 000020
【図１９】
2008286081.tif 000021
【図２０】
2008286081.tif 000022
【図２１】
2008286081.tif 000023
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
風力発電用風車を地形・地物上に沿うように設置する場合において、風力発電装置本体の底部とほぼ相似形であって風力発電装置本体の重量を支える強度を有する底板と、一端をボルトとナットで当該底板に接続し他端を当該底板の中央部から遠ざかる径方向に長さを有する少なくとも３枚以上の板状の支え材か、同じく一端を補足板で当該底板に接続し他端を当該底板から遠ざかる径方向に長さを有する少なくとも３本以上の棒状の支え材か、同じくボルトやナットで当該底板に接続した板状の支え材や補足板で当該底板に接続した棒状の支え材を混在して３以上とするか、のいずれか一つの方法による底板と支え材との組合せによって、風力発電用風車を移設や移動が可能な状態で地形・地物上に布置できることを特徴とする布置装置のうち、底板と天板とを有し、底板と天板との間に、人手により一定の厚みを有するワッシャーを積み重ねて調整しシムで微調整するか、液圧ピストンやウォームネジの伸縮を手動ハンドルで調整するか、液圧ピストンやウォームネジの伸縮を操作卓で操作するか、自動水準として液圧ピストンやウォームネジを用いるか、のいずれか一つの方法で風力発電用風車の水準を設定できる構造を有することを特徴とする布置装置。
【手続補正２】
【補正対象書類名】明細書
【補正対象項目名】０００８
【補正方法】変更
【補正の内容】
【０００８】
【特許文献１】特願２００７−０８０５８９
【特許文献２】特許第４０１５１７５号公報
【特許文献３】特開２００７−０９２４０６号公報
【特許文献４】特開２００６−３２２４００号公報
【特許文献５】特開２００５−３３７２４５号公報
【非特許文献１】”３５ｍｍ２連装高射機関砲Ｌ−９０”、［ｏｎｌｉｎｅ］、［平成１９年４月１４日検索］、インターネット＜ｈｔｔｐ：／／ｒｉｇｈｔｗｉｎｇ．ｓａｋｕｒａ．ｎｅ．ｊｐ／ｅｑｕｉｐｍｅｎｔ／ｊｇｓｄｆ／ａｉｒａｒｔｉｌｌｅｒｙ／３５ｍｍ−ｌ９０／ｌ９０．ｈｔｍｌ＞
【非特許文献２】日本写真映像用品工業会カタログ委員会、”写真・映像用品年鑑”、写真・映像用品総合カタログ、日本写真映像用品工業会、平成１９年３月発行、Ｎｏ．３７、ｐ．５８「４２４」、ｐ．７３「Ｌ１４６１−２」、ｐ．７６「Ｌ１８３９１」、ｐ．９８「デジミニ３段三脚ローアングル」、ｐ．１００「ＭＳ−８３Ｌ」、ｐ．２５８「ＪＡＮ／４９０６７５２  ２００８２７」、ｐ．２６７「ＪＡＮ／４９０６７５２  ２０１０７７」、ｐ．３２３「フル・ローポジション機構」、ｐ．３２５「ＵポッドデジタルＱＵ４００」、ｐ．４３４「Ｎｅｏ  Ｃａｒｍａｇｎｅ７４０」、ｐ．４３６「Ｎｅｏ  Ｃａｒｍａｇｎｅ５４５」、ｐ．４３７「Ｅｌ  Ｃａｒｍａｇｎｅ７４０」、ｐ．４４０「Ｍｏｕｎｔａｉｎ  Ｃｈａｓｅｒ３」、ｐ．４４０「Ｓｈｅｒｐａ４４３」、ｐ．４４１「ＵＬＴＲＡ  ＬＵＸＩＭ」、ｐ．４４１「ＵＬＴＲＡ  ＭＡＸＩＭ」、ｐ．４５０「ＤＰ−３Ｄ２」
【手続補正３】
【補正対象書類名】明細書
【補正対象項目名】００１０
【補正方法】変更
【補正の内容】
【００１０】
本発明では、風力発電装置本体の底部とほぼ相似形であって風力発電装置本体の重量を支える強度を有する底板と、一端をボルトとナットで当該底板に接続し他端を当該底板の中央部から遠ざかる径方向に長さを有する少なくとも３枚以上の板状の支え材か、同じく一端を補足板で当該底板に接続し他端を当該底板から遠ざかる径方向に長さを有する少なくとも３本以上の棒状の支え材か、同じくボルトやナットで当該底板に接続した板状の支え材や補足板で当該底板に接続した棒状の支え材を混在して３以上とするか、のいずれか一つの方法による底板と支え材との組合せによって、海底、湖底、川底を含む地形地物の表面に布を広げて置くような形態で風力発電装置本体を設置するための布置装置を作成することによって、地面や海底を掘らなくても風力発電装置を設置でき、かつ移動や移設を伴う運用にも風力発電装置を使用することができる。
【手続補正４】
【補正対象書類名】明細書
【補正対象項目名】００１３
【補正方法】変更
【補正の内容】
【００１３】
布置装置（２００）に用いる水準装置は、人手により一定の厚みを有するワッシャー（２４１）を底板（２３０）上に設置した後、自在ボール（２４２）を載せ、さらにワッシャー（２４１）を嵩上げして、シム（２４３）で微調整をして水準をとる水準装置（２４０）と、液圧ピストン（２２１）やウォームネジ（２２２）を手動ハンドル（２２３）で伸縮したり、液圧ピストン（２２１）やウォームネジ（２２２）をリモートコントロールができる操作卓（２２４）で操作して水準をとる水準装置（２２０）とがある。特に、液圧ピストン（２２１）やウォームネジ（２２２）と操作卓（２２４）とを有する水準装置（２２０）は、自動水準装置として使用することも可能である。
【手続補正５】
【補正対象書類名】明細書
【補正対象項目名】００１７
【補正方法】変更
【補正の内容】
【００１７】
図２並びに図６から図１２までの（Ａ）と（Ｃ）は、風力発電装置本体の底部とほぼ相似形であって風力発電装置本体の重量を支える強度を有する底板と、一端をボルトとナットで当該底板に接続し他端を当該底板の中央部から遠ざかる径方向に長さを有する少なくとも３枚以上の板状の支え材か、同じく一端を補足板で当該底板に接続し他端を当該底板から遠ざかる径方向に長さを有する少なくとも３本以上の棒状の支え材か、同じくボルトやナットで当該底板に接続した板状の支え材や補足板で当該底板に接続した棒状の支え材を混在して３以上とするか、のいずれか一つの方法による底板と支え材との組合せによって、海底、湖底、川底を含む地形地物の表面に布を広げて置くような形態で風力発電装置本体を設置するための布置装置の実施例である。実施例で使用したのは、円環付の水平軸風車による風力発電装置であったが、他の形式、例えば特許文献２の水平軸風車の風力発電装置や垂直軸風車の風力発電装置でも実施可能である。